【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】情報処理方法、情報処理装置、記録媒体、端末装置、およびシステム
【手続補正２】
【補正対象書類名】明細書
【補正対象項目名】特許請求の範囲
【補正方法】変更
【補正の内容】
【特許請求の範囲】
【請求項１】
情報処理装置の所定のポートに端末装置が接続されたことを検出するステップと、
前記端末装置が前記所定のポートに接続されたことが検出されると、前記端末装置から前記端末装置を特定する装置IDを取得するステップと、
前記装置IDに基づき、前記所定のポートに接続された前記端末装置が所定の端末装置であるか否かを判断するステップと、
前記所定のポートに接続された前記端末装置が所定の端末装置であると判断された場合に、前記情報処理装置に記憶されているコンテンツを接続された前記端末装置に送信するステップと、
前記端末装置に記憶されているコンテンツに対応するデータを表示するステップと
を含むことを特徴とする情報処理方法。
【請求項２】
前記コンテンツに対応するデータは、コンテンツの名前である
ことを特徴とする請求項１に記載の情報処理方法。
【請求項３】
接続された前記端末装置に送信されるコンテンツは、履歴データを基に選択されたコンテンツである
ことを特徴とする請求項１に記載の情報処理方法。
【請求項４】
接続された前記端末装置に送信されるコンテンツは、前記情報処理装置に記憶されているコンテンツのそれぞれへの予め記憶されているデータによる重み付けを基に選択されたコンテンツからなるフィルタリングパッケージのうち、所定のフィルタリングパッケージに属するコンテンツである
ことを特徴とする請求項１に記載の情報処理方法。
【請求項５】
接続された前記端末装置に送信されるコンテンツは、前記情報処理装置に記憶されているコンテンツの中から、ランダムに選択されたコンテンツである
ことを特徴とする請求項１に記載の情報処理方法。
【請求項６】
自己の所定のポートに端末装置が接続されたことを検出する検出手段と、
前記端末装置が前記所定のポートに接続されたことが検出されると、前記端末装置から前記端末装置を特定する装置IDを取得する取得手段と、
前記装置IDに基づき、前記所定のポートに接続された前記端末装置が所定の端末装置であるか否かを判断する判断手段と、
前記所定のポートに接続された前記端末装置が所定の端末装置であると判断された場合に、前記情報処理装置に記憶されているコンテンツを接続された前記端末装置に送信する送信手段と、
前記端末装置に記憶されているコンテンツに対応するデータの表示を制御する表示制御手段と
を備えることを特徴とする情報処理装置。
【請求項７】
情報処理装置の所定のポートに端末装置が接続されたことを検出し、
前記端末装置が前記所定のポートに接続されたことが検出されると、前記端末装置から前記端末装置を特定する装置IDを取得し、
前記装置IDに基づき、前記所定のポートに接続された前記端末装置が所定の端末装置であるか否かを判断し、
前記所定のポートに接続された前記端末装置が所定の端末装置であると判断された場合に、前記情報処理装置に記憶されているコンテンツを接続された前記端末装置への送信を制御し、
前記端末装置に記憶されているコンテンツに対応するデータの表示を制御する
ステップをコンピュータに実行させるプログラムが記録されている記録媒体。
【請求項８】
情報処理装置に接続するための接続手段と、
接続された前記情報処理装置に対して、自己を特定する装置IDを送信する第１の送信手段と、
前記情報処理装置において、送信した前記装置IDに基づき、自己が所定の端末装置であると判断されて、前記情報処理装置から送信されてきたコンテンツと、そのコンテンツに関するデータとを記憶する記憶手段と、
接続された前記情報処理装置に対して、記憶されているコンテンツに対応するデータを送信する第２の送信手段と、
記憶されているコンテンツを再生する再生手段と
を備えることを特徴とする端末装置。
【請求項９】
携帯型であることを特徴とする請求項８に記載の端末装置。
【請求項１０】
情報処理装置と端末装置とからなるシステムにおいて、
前記端末装置は、
前記情報処理装置の所定のポートに接続するための接続手段と、
接続された前記情報処理装置に対して、前記端末装置を特定する装置IDを送信する第１の送信手段と
を備え、
前記情報処理装置は、
前記情報処理装置の前記所定のポートに前記端末装置が接続されたことを検出する検出手段と、
前記端末装置が前記所定のポートに接続されたことが検出されると、前記端末装置から送信されてくる、前記端末装置を特定する装置IDを受信する受信手段と、
前記装置IDに基づき、前記所定のポートに接続された前記端末装置が所定の端末装置であるか否かを判断する判断手段と、
前記所定のポートに接続された前記端末装置が所定の端末装置であると判断された場合に、前記情報処理装置に記憶されているコンテンツを接続された前記端末装置に送信する第２の送信手段と
を備え、
前記端末装置は、さらに、
前記情報処理装置から送信されてくるコンテンツと、そのコンテンツに関するデータとを記憶する記憶手段と、
接続された前記情報処理装置に対して、記憶されているコンテンツに対応するデータを送信する第３の送信手段と、
記憶されているコンテンツを再生する再生手段と
を備え、
前記情報処理装置は、さらに、
前記端末装置に記憶されているコンテンツに対応するデータの表示を制御する表示制御手段と
を備えることを特徴とするシステム。
【手続補正３】
【補正対象書類名】明細書
【補正対象項目名】０００１
【補正方法】変更
【補正の内容】
【０００１】
【発明の属する技術分野】
本発明は、情報処理方法、情報処理装置、記録媒体、端末装置、およびシステムに関し、特に、接続して、コンテンツを送信する情報処理方法、情報処理装置、記録媒体、端末装置、およびシステムに関する。
【手続補正４】
【補正対象書類名】明細書
【補正対象項目名】０００５
【補正方法】変更
【補正の内容】
【０００５】
本発明は端末装置にコンテンツを送信できるようにする。
【手続補正５】
【補正対象書類名】明細書
【補正対象項目名】０００６
【補正方法】変更
【補正の内容】
【０００６】
【課題を解決するための手段】
請求項１に記載の情報処理方法は、情報処理装置の所定のポートに端末装置が接続されたことを検出するステップと、端末装置が所定のポートに接続されたことが検出されると、端末装置から端末装置を特定する装置IDを取得するステップと、装置IDに基づき、所定のポートに接続された端末装置が所定の端末装置であるか否かを判断するステップと、所定のポートに接続された端末装置が所定の端末装置であると判断された場合に、情報処理装置に記憶されているコンテンツを接続された端末装置に送信するステップと、端末装置に記憶されているコンテンツに対応するデータを表示するステップとを含むことを特徴とする。
【手続補正６】
【補正対象書類名】明細書
【補正対象項目名】０００７
【補正方法】変更
【補正の内容】
【０００７】
請求項６に記載の情報処理装置は、自己の所定のポートに端末装置が接続されたことを検出する検出手段と、端末装置が所定のポートに接続されたことが検出されると、端末装置から端末装置を特定する装置IDを取得する取得手段と、装置IDに基づき、所定のポートに接続された端末装置が所定の端末装置であるか否かを判断する判断手段と、所定のポートに接続された端末装置が所定の端末装置であると判断された場合に、情報処理装置に記憶されているコンテンツを接続された端末装置に送信する送信手段と、端末装置に記憶されているコンテンツに対応するデータの表示を制御する表示制御手段とを備えることを特徴とする。
【手続補正７】
【補正対象書類名】明細書
【補正対象項目名】０００８
【補正方法】変更
【補正の内容】
【０００８】
請求項７に記載の記録媒体のプログラムは、情報処理装置の所定のポートに端末装置が接続されたことを検出し、端末装置が所定のポートに接続されたことが検出されると、端末装置から端末装置を特定する装置IDを取得し、装置IDに基づき、所定のポートに接続された端末装置が所定の端末装置であるか否かを判断し、所定のポートに接続された端末装置が所定の端末装置であると判断された場合に、情報処理装置に記憶されているコンテンツを接続された端末装置への送信を制御し、端末装置に記憶されているコンテンツに対応するデータの表示を制御するステップをコンピュータに実行させる。
【手続補正８】
【補正対象書類名】明細書
【補正対象項目名】０００９
【補正方法】変更
【補正の内容】
【０００９】
請求項８に記載の端末装置は、情報処理装置に接続するための接続手段と、接続された情報処理装置に対して、自己を特定する装置IDを送信する第１の送信手段と、情報処理装置において、送信した装置IDに基づき、自己が所定の端末装置であると判断されて、情報処理装置から送信されてきたコンテンツと、そのコンテンツに関するデータとを記憶する記憶手段と、接続された情報処理装置に対して、記憶されているコンテンツに対応するデータを送信する第２の送信手段と、記憶されているコンテンツを再生する再生手段とを備えることを特徴とする。
【手続補正９】
【補正対象書類名】明細書
【補正対象項目名】００１０
【補正方法】変更
【補正の内容】
【００１０】
請求項１０に記載のシステムは、情報処理装置と端末装置とからなるシステムであって、端末装置が、情報処理装置の所定のポートに接続するための接続手段と、接続された情報処理装置に対して、端末装置を特定する装置IDを送信する第１の送信手段とを備え、情報処理装置が、情報処理装置の所定のポートに端末装置が接続されたことを検出する検出手段と、端末装置が所定のポートに接続されたことが検出されると、端末装置から送信されてくる、端末装置を特定する装置IDを受信する受信手段と、装置IDに基づき、所定のポートに接続された端末装置が所定の端末装置であるか否かを判断する判断手段と、所定のポートに接続された端末装置が所定の端末装置であると判断された場合に、情報処理装置に記憶されているコンテンツを接続された端末装置に送信する第２の送信手段とを備え、端末装置が、さらに、情報処理装置から送信されてくるコンテンツと、そのコンテンツに関するデータとを記憶する記憶手段と、接続された情報処理装置に対して、記憶されているコンテンツに対応するデータを送信する第３の送信手段と、記憶されているコンテンツを再生する再生手段とを備え、情報処理装置が、さらに、端末装置に記憶されているコンテンツに対応するデータの表示を制御する表示制御手段とを備えることを特徴とする。
【手続補正１０】
【補正対象書類名】明細書
【補正対象項目名】００１１
【補正方法】変更
【補正の内容】
【００１１】
請求項１に記載の情報処理方法、請求項６に記載の情報処理装置、および請求項７に記載の記録媒体においては、情報処理装置の所定のポートに端末装置が接続されたことが検出され、端末装置が所定のポートに接続されたことが検出されると、端末装置から端末装置を特定する装置IDが取得され、装置IDに基づき、所定のポートに接続された端末装置が所定の端末装置であるか否かが判断され、所定のポートに接続された端末装置が所定の端末装置であると判断された場合に、情報処理装置に記憶されているコンテンツが接続された端末装置に送信され、端末装置に記憶されているコンテンツに対応するデータが表示される。
【手続補正１１】
【補正対象書類名】明細書
【補正対象項目名】００１２
【補正方法】変更
【補正の内容】
【００１２】
請求項８に記載の端末装置においては、情報処理装置に接続され、接続された情報処理装置に対して、自己を特定する装置IDが送信され、情報処理装置において、送信した装置IDに基づき、自己が所定の端末装置であると判断されて、情報処理装置から送信されてきたコンテンツと、そのコンテンツに関するデータとが記憶され、接続された情報処理装置に対して、記憶されているコンテンツに対応するデータが送信され、記憶されているコンテンツが再生される。
【手続補正１２】
【補正対象書類名】明細書
【補正対象項目名】００１３
【補正方法】変更
【補正の内容】
【００１３】
請求項１０に記載のシステムにおいては、端末装置が、情報処理装置の所定のポートに接続され、端末装置により、接続された情報処理装置に対して、端末装置を特定する装置IDが送信され、情報処理装置により、情報処理装置の所定のポートに端末装置が接続されたことが検出され、端末装置が所定のポートに接続されたことが検出されると、端末装置から送信されてくる、端末装置を特定する装置IDが受信され、装置IDに基づき、所定のポートに接続された端末装置が所定の端末装置であるか否かが判断され、所定のポートに接続された端末装置が所定の端末装置であると判断された場合に、情報処理装置に記憶されているコンテンツが接続された端末装置に送信され、端末装置により、さらに、情報処理装置から送信されてくるコンテンツと、そのコンテンツに関するデータとが記憶され、接続された情報処理装置に対して、記憶されているコンテンツに対応するデータが送信され、記憶されているコンテンツが再生され、情報処理装置により、さらに、端末装置に記憶されているコンテンツに対応するデータが表示される。
【手続補正１３】
【補正対象書類名】明細書
【補正対象項目名】０４１０
【補正方法】変更
【補正の内容】
【０４１０】
【発明の効果】
請求項１に記載の情報処理方法、請求項６に記載の情報処理装置、および請求項７に記載の記録媒体によれば、情報処理装置の所定のポートに端末装置が接続されたことが検出され、端末装置が所定のポートに接続されたことが検出されると、端末装置から端末装置を特定する装置IDが取得され、装置IDに基づき、所定のポートに接続された端末装置が所定の端末装置であるか否かが判断され、所定のポートに接続された端末装置が所定の端末装置であると判断された場合に、情報処理装置に記憶されているコンテンツが接続された端末装置に送信され、端末装置に記憶されているコンテンツに対応するデータが表示されるようにしたので、端末装置にコンテンツを送信できるようになる。
【手続補正１４】
【補正対象書類名】明細書
【補正対象項目名】０４１１
【補正方法】変更
【補正の内容】
【０４１１】
請求項８に記載の端末装置によれば、情報処理装置に接続され、接続された情報処理装置に対して、自己を特定する装置IDが送信され、情報処理装置において、送信した装置IDに基づき、自己が所定の端末装置であると判断されて、情報処理装置から送信されてきたコンテンツと、そのコンテンツに関するデータとが記憶され、接続された情報処理装置に対して、記憶されているコンテンツに対応するデータが送信され、記憶されているコンテンツが再生されるようにしたので、コンテンツを取得できるようになる。
請求項１０に記載のシステムにおいては、端末装置が、情報処理装置の所定のポートに接続され、端末装置により、接続された情報処理装置に対して、端末装置を特定する装置IDが送信され、情報処理装置により、情報処理装置の所定のポートに端末装置が接続されたことが検出され、端末装置が所定のポートに接続されたことが検出されると、端末装置から送信されてくる、端末装置を特定する装置IDが受信され、装置IDに基づき、所定のポートに接続された端末装置が所定の端末装置であるか否かが判断され、所定のポートに接続された端末装置が所定の端末装置であると判断された場合に、情報処理装置に記憶されているコンテンツが接続された端末装置に送信され、端末装置により、さらに、情報処理装置から送信されてくるコンテンツと、そのコンテンツに関するデータとが記憶され、接続された情報処理装置に対して、記憶されているコンテンツに対応するデータが送信され、記憶されているコンテンツが再生され、情報処理装置により、さらに、端末装置に記憶されているコンテンツに対応するデータが表示されるようにしたので、端末装置にコンテンツを送信できるようになる。